(57)【要約】      （修正有）【課題】垂直に設置した円筒外管をエレベーターシャフトとし、円管外管の内部と該円管外管と同心状に配置した乗降籠をネジ嵌合してなる簡易、かつ安全でユニット化した垂直エスカレーターを提供する。【解決手段】垂直に建てた円筒状長管１内周に適正数列、大径の雌ネジ状にベアリング３を配列し、その内面に、この雌ネジにネジ嵌合するように外形雄ネジ状に成型した短円筒Ｔを挿入して、短円筒を回転して、短円筒を昇降させ、これに回転自在に装着しまわり止めをほどこした乗降籠Ｈにより人及び物体を上下に移動させるようにしたユニット化して、垂直エスカレーターを構成する。【選択図】図１
0003150412.tif 000002
【実用新案登録請求の範囲】
【請求項１】
適正高さの円筒と高さ調節のための短尺円筒とを任意に重畳し、その内周に適正垂直列数でベアリング内輪取り付け穴を設け、垂直方向には適正大径の雌ネジピッチの間隔で、又内周水平方向にはそのピッチで雌ネジを構成する大径ネジのリード角をなすように取り付け穴を配列し、それに適正内輪径のベアリングを、内輪内径と取り付け穴径にマッチしたボルト及びナットで、管内周に取り付け、これにネジ嵌合する雄ネジ状の外形を持つ短円筒をねじ込む形で装填し、この短円筒の回転軸を、短円筒フレームに回転自在に結合して上下する乗降籠の天井板又は床板に取り付けたモーターの回転軸に結合して、そのモーター軸の回転で短円筒と乗降籠を上下させ、その際、乗降籠の天井板及び床板の間に設けたチャンネル状のベアリングカバーの内側片を、ベアリング外輪列にかぶせてその内面両サイドにスライドさせて乗降籠の回り止めとして、停止した外殻内を乗降籠が移動するユニット化した垂直エスカレーターの構造。
【請求項２】
請求項１の垂直エスカレータにおいて、短円筒の回転の芯振れの防止を行わせるについて、ベアリング取り付け穴を垂直方向に交互に若干千鳥状にすることによって、ベアリングカバーの内側片をベアリング外輪に密着してスライド出来るようにしたユニット化した垂直エスカレーター。
【請求項３】
請求項１のエスカレーターにおいて乗降籠の適正上下列位置に適正数の外殻扉を設け、その内周面は管の内面と段差の無いように面一にし、更にベアリングには乗降籠の回り止めを兼ねたチャンネル状カバーを設けて突出物を無くし、更に、カバーを内周面で結合した手すりを設けて人体の外殻への接触を無くすると共に、扉は乗降籠が扉内面に到達した時点にのみ開閉でき、その他の時点ではロックされており且つ開いた時点ではすべての電源はＯＦＦの状態を保持するようリレーを配線内に設け、安全を確保するようにしたユニット化した垂直エスカレーター。
【請求項４】
乗降籠が最上階及び最下階を過ぎた時点で左右に併設した同一機構のエスカレーターの最最上部、最最下部においての双方の隣接の短尺円筒の外殻が一体となって、内部に到達した乗降籠を含めて１８０度回動して双方の管列に入れ替わったうえ停止するようにするが、その乗降籠を含めた短円筒が回動できるように最上階最下階の更にその上下に回動部屋空間を設けると共に、両短尺円筒の外殻が一体となって回転させるモーターをセンサー指示により稼働回動させて乗降籠を順環させるようにしたユニット化した垂直エスカレーター。
【請求項５】
長円筒にはその外側に密着して螺旋階段を設けるか、適正ピッチの足場を扉近辺に設けて、緊急時に脱出できるようにしたユニット化した垂直エスカレーター。
【考案の詳細な説明】
【技術分野】
【０００１】  従来のエレベーターは内ドアー外ドアーの２重構造で構成されているがこれを廃して外ドアーのみとして、乗降籠は円筒長管内に設定し、その静止した円筒外壁に沿って手すりと共に乗降籠のみが昇降するようにしても安全上何ら差し支えない。即ちエスカレーター構造で乗降籠を垂直に昇降させれば従来のエレベーター構造を格段に簡易化でき、ユニット化でき、密閉できるため戸外に任意設置も可能であるが、それには出願人本人の開発し特許登録したベアリングによる自走式エレベーターの昇降構造が最適でその技術分野を展開活用し、達成しようとするものである。従来のエレベーターの安全確保については本機構がベアリングの同時脱落がない限り、ロープ吊り下げ等に比べて一層確実で、エスカレーター同様安全装置が省略でき、ただ電気的配慮と脱出時の適正数の扉と足場の必要はあるが総合して従来のエスカレータ及びエレベーターより簡易に安全性か確保でき、加えるに生産コスト設置コストも格段に低い。
【背景技術】
【０００２】  既開発の自走式エレベーターの構造は、垂直円形に建てた適正数の垂直柱の内周側に、水平方向および垂直方向に雌ネジ状適正大ピッチでそのリード角をなすような配列で、ベアリングを取り付け、その雌ネジ配列の内周側に、これにネジ嵌合する雄ネジ状の外形をもつ短円筒を挿入してこれを回転させ、これに回転自在に取り付けた部屋構造の乗降籠を上下させる構造のエレベターは既に国内外に特許登録しているが、柱に装着する方式では密閉した乗降籠が不可欠であるが、このベアリング配列を、柱に代えて垂直に建てた長円筒の内壁に適正数列装着して、静止する外殻内を短円筒と共に、囲いのない乗降籠を昇降させる所謂エスカレーター構造のものにした開発で、それには外殻内面に突出物が無く且つ人体が外壁に接触することを避けた構造と、その長円筒の外殻外周に密着した螺旋階段を設けるか、あるいは適正ピッチの足場を外殻外側に設けて、且つ外殻の適正位置に適正数の脱出扉を設けることによって緊急時に対応出来るよう考慮する必要はあるが、これによって設置移動も頗る簡易化でき、斜行の専有面積の大きい従来のエスカレーターより遙かに簡易化できる。さらにユニット化して工場生産化も可能である。尚回転によって昇降する短円筒には乗降籠を回転自在に結合すが、勿論乗降籠の回り止めを施さねばならないが、それには乗降籠の天井板と床板の結合柱位置をベアリング列位置にマッチさせて、この位置にベアリング列にカバーをもうけ、その結合柱をチャンネル状とし、チャンネル内側片をベアリング外輪に密着させて乗降籠の回り止めの機能を持たせるようにする。即ち短円筒の昇降と共にベアリング列の外輪をスライドする事になるが、その為には。同一ベアリングを左右から挟み込まないようベアリング取り付け穴を、交互に垂直方向に若干千鳥状にし、チャンネル内側辺を外輪との有隙を無くしてスライドさせる事になり、このことは短円筒の回転芯ぶれも防止出来る機能にもなる。尚短円筒回転モーターは乗降籠の天井板又は床板の何れかに装着するものとする。乗降籠が静止する長円筒の内面で昇降するについてはこのカバーによって突出物はなく安全であるが、尚人体が外壁に接触しないよう念のためベアリングカバー背面に手すりを取り付けてカバー間を連結すれば従来のエスカレーター同様安全は一層確保できる。
【考案が解決しようとする課題】
【０００３】電源は直流の電池電源及び単相又は三相何れでも可能であるが、後者の場合は外壁となる長円筒の背部に電気配線室を設けて乗降籠の移動モータの上下に追従できるよう主として配線の伸縮をローラーと錘を介入させて追従する空間を確保しているがこれは従来のエレベータと同様の構成である。前者の場合は適正頻度で、停止時点で充電できるよう構成すればよい。その他安全確保の問題として、▲１▼ドアーの開いた時点では電源はＯＦＦとなり乗降籠は移動しない，▲２▼降籠が外殻ドアーの内部前に到達停止しない限りドアーはロックされて開かない。と双方の為に電気的機械的に配慮する必要はあるが容易に構成出来る。更に各階外部からの乗降籠の呼び出し機能、内部での行き先指示機能、緊急時停止機能等は勿論電気配線機能として整備するのは従来同様である。又更に同一機能のものを並列に設置し最上階最下階において自動循環機能を設けて乗降籠を循環させる方法も考えられる。
【課題を解決するための手段】
【０００４】長尺円筒に関しては室内用として例えば高密度ポリエチレン製管のマンホール管を盗用しても実施出来るし、屋外用としては排水管を選択するも良く、ベアリングは無給油グリス入りシールドベアリングを用いて保守が不要にしている。外殻となる管は適正標準管長さ（例えば約２５００ｍｍ）を基本として必要高さまで積み重ね、施行現場の高さに合わせて調節用の短管を竹輪切りに切断して積み重ねる形で工場生産化しても良い。その場合その穴ピッチの保持と積み重ね保持のためにステンレス帯鉄等に予め計算ピッチで穴あけしたものを、管内外から管肉厚を挟み込んでベアリングを取り付けると同時に締め付けるようにする。さらに  ベアリング列間に適正距離の幅と高さ（約２０００ｍｍ）の矩形出入り口を外殻に開口し、これに蝶番で開閉するドアチェック付き電磁錠付き扉を設け、管の適正位置には電線収納ケースを装着し、長管最上階にて電源に接続した電線のたるみ調節をこの電線収納ケース内で賄う。
尚又生産性の向上を図るため、長円筒を、標準化した長さのものと任意の短尺のものとの２種類を工場生産しておき、現場に応じて計画高さまで標準長さのものを積み上げて、更に短管のものを輪切りにして計画高さまで設定するようにしても良く、その場合、重畳ズレを防ぐため、ベアリング取り付け設計寸法で予め穴あけしたステンレス材等の適正厚さ・幅の帯鉄を準備しておき、ベアリング配列位置で、円筒の内外からベアリング取り付け時に円筒肉厚を挟み込んで、円筒の重畳ズレを防止するようにすれば、外殻の設置コストが軽減されて一層便利である。
【考案の効果】
【０００５】安全面においては複数のベアリングの同時脱落がない限り事故となり得ないため、従来のように安全装置も含めた膨大な機械室の設置も省かれ、要はエスカレーターを垂直にした構造で、安全はドアー開閉の考慮のみで済まされその簡易化は一般のエレベターより抜群に優れており内外ドアーが無くコスト安で単体化して移動も簡易で密閉しているため個別住宅用は勿論戸外設置も簡易で例えば歩道橋のエスカレーター化等用途は広い。
【考案を実施するための最良の形態】
【０００６】垂直に建てた円筒状長管内周に適正数列、大径の雌ネジ状にベアリングを配列し、その内面に、この雌ネジにネジ嵌合するように外形雄ネジ状に成型した短円筒を挿入して、短円筒を回転して、短円筒を昇降させ、これに回転自在に装着しまわり止めをほどこした乗降籠により人及び物体を上下に移動させるようにしたユニット化した垂直エスカレーターは他に類例を見ない。
【実施例】
【０００７】この上下昇降型について説明すると適正材質の円筒外管１．１．．．を計画高さまで設定し、適正雌ネジピッチで垂直に適正数列Ｂ・Ｂ・・・でベアリング取り付ける為の内輪内径穴２・２  ・２・・・を穴あけしするについて、水平方向にはその雌ネジピッチに適正なリード角を保つように計画設定して工作し、これに適正径のベアリング３・３・・を内輪径にマッチしたボルト４及びナット５で取り付けて、その外輪が形成する雌ネジピッチ間にネジ嵌合するように設計し外形が雄ネジ状に成型した短円筒Ｔを挿入設定し、この短円筒に回転自在に取り付けた乗降籠Ｈを、短円筒を回転させることによって昇降させるようにしている。短円筒Ｔの回転の為のモーターＭは天井板Ｓと底板Ｓ’を適正数の柱で結合した乗降籠の天井板Ｓ又は底板Ｓ’に取り付けるが、乗降籠の回り止めは柱背面に取り付けたベアリング列ＢのカバーＦをチャンネル状にしても良いが、チャンネルＦそのものを柱としても良い。その左右両内側辺でベアリング列を挟み込む際、同一ベアリングを両側辺で挟み込まないよう、ベアリング取り付け穴を垂直列上で交互に若干千鳥状に穴あけして、チャンネルＦの内側辺が昇降するについて、ベアリング外輪に有隙を無くして密着してスライドするようにし、ベアリング列Ｂのカバーとして外殻の内面の突出物を無くする機能と、短円筒の回転芯振れをなくする機能を兼ねさせている。尚そのチャンネルの背面には人又は物体の円筒外殻への接触を防止する意味で、手すりを連結して取り付けてもよい。短円筒回転軸６はモータＭの軸７にユニバーサルジョイントＵを介して取り付ける。単相または三相による場合のモーター電線の短円筒の上下移動による伸縮は、従来なされているように固定ローラーｒ−１・誘導ローラーｒ−２と錘りＺで干渉して円筒外管１の適正位置に垂直に設けた電線スリット溝Ｐを通して電線８を管内のモータに電源として接続して追跡できるようにしているがこの伸縮機能は電線ケースＫ内で行うようにしている。短円筒乗降籠Ｈの内面のベアリングカバーＦの背面にはスイッチを設け、又外殻外各階にもスイッチを設けて直列にして移動停止の指令を双方からモーターに伝えるようにする。また外殻に適正幅と高さで円筒内面に段差なきように開口した扉Ｄの開閉によりすべての電源をＯＦＦ・ＯＮする機能を持たせるようにして安全を確保している。即ち短円筒が扉内面に停止しない限り扉Ｄは開けられないし扉が閉まらないとモーターが稼働出来ないように構成し、外殻のスイッチは短円筒の呼び出しスイッチ、乗降籠内スイッチは行き先指定スイッチとして働かせる配線にしている。また適正ピッチで設けた足場Ｌ・Ｌ・・によって脱出出来るようにしている。尤も外殻と密着して回り階段を設けておいても良い。次にこの長管列を並列して設け、両長管内を乗降  籠を循環させるタイプのものも可能で、その場合乗降籠が最上階Ｘー１最下階Ｘー２を過ぎた時点で外殻短管が乗降籠と共に回動するための最最上階・最最下階部空間Ｘー３・Ｘー４を設けてセンサーにより適正長管をそれぞれ回動モーターＭー１・Ｍー２により乗降籠が両管列内を回動できるようにし、センサーで最最上階及び最最下階で自動回動させる事も可能で、或いは単体のものを��数個併設して待ち時間の少ない昇降機とすることも通常の斜め設置のエスカレータ面積で可能となる。
【図面の簡単な説明】
【０００８】図１は構造を示す一部切り欠け全体斜視図、図２は電線ケースの斜視図、図３は回動機構の斜視図、である
【符号の説明】
【０００９】１．円筒外管  ２．ベアリング取り付け穴  ３．ベアリング  ４。ボルト  ５。ナット  ６．短円筒軸  ７。モーター軸  ８．電線  Ｔ．短円筒  Ｍ．モーター  Ｕ．ユニバーサルジョイント  Ｓ．天井板  ｓ’床板  Ｈ．乗降籠  Ｆ．チャンネル形状のカバー兼乗降籠柱  Ｋ．電線ケース  Ｄ．ドア  Ｂ・Ｂ・・ベアリング列  Ｍー１・Ｍー２．回動モーター  Ｘー１．最上階  Ｘー２．最下階  Ｘー３．最上階を過ぎた最最上階  Ｘー４．最下階を過ぎた最最下階  ｒ−１．固定ローラー  ｒ−２．誘導ローラー  Ｚ．錘り  Ｌ。足場  Ｐ。電線スリット溝
【図１】
0003150412.tif 000003
【図２】
0003150412.tif 000004
【図３】
0003150412.tif 000005
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
適正高さの円筒と高さ調節のための短尺円筒とを任意に重畳し、その内周に適正垂直列数でベアリング内輪取り付け穴を設け、垂直方向には適正大径の雌ネジピッチの間隔で、又内周水平方向にはそのピッチで雌ネジを構成する大径ネジのリード角をなすように取り付け穴を配列し、それに適正内輪径のベアリングを、内輪内径と取り付け穴径にマッチしたボルト及びナットで、管内周に取り付け、これにネジ嵌合する雄ネジ状の外形を持つ短円筒をねじ込む形で装填し、この短円筒の回転軸を、短円筒フレームに回転自在に結合して上下する乗降顔の天井板又は床板に取り付けたモーターの回転軸に結合して、そのモーター軸の回転で短円筒と乗降籠を上下させ、その際、乗降籠の天井板及び床板の間に設けたチャンネル状のベアリングカバーの内側片を、ベアリング外輪列にかぶせてその内面両サイドにスライドさせて乗降籠の回り止めとして、停止した外殻内を乗降籠のみが移動する事により内籠とその扉を設けた従来のエレベータに代替したユニット化した垂直エスカレーター。
【請求項２】
請求項１に記載の垂直エスカレーターにおいて、短円筒の回転の芯振れの防止を行わせるについて、ベアリングの取り付け穴を垂直方向に交互に若干千鳥状にする事によって、ベアリングカバーの両内側片が同一ベアリングを挟み込まないようにして左右から密着スライドさせて短円筒回転を円滑化したユニット化した垂直エスカレーター。
【請求項３】
請求項１に記載の垂直エスカレーターにおいて、外殻長円筒に乗降籠に出入する扉を上下に設ける事と共にその間に適正数の扉を設けて緊急時の脱出扉とするが、何れもその内面は管の内面と段差の無いように面一にし、さらに、ベアリングカバーの内周面に結合した手摺りを設けて人体の外殻内面への接触をなくすると共に、円筒外周の扉近辺に、垂直方向に適正ピッチの足場を設けるか、或いは回り階段を取り付け、さらに各扉は開いた時点では、すべての配線部が遮断されて乗降籠が移動しないようにリレーで制御して運航時と緊急時の安全を確保したユニット化した垂直エスカレーター。
【手続補正２】
【補正対象書類名】明細書
【補正対象項目名】０００８
【補正方法】変更
【補正の内容】
【０００８】
【図１】  構造を示す一部切り欠け全体斜視図
【図２】  電線ケースの斜視図
【図３】  回動機構の斜視図